Podtech/llm-jp-corpus-v4-ja_patent huggingface dataset:
【手続補正書】
【提出日】平成26年9月24日(2014.9.24)
【手続補正１】
【補正対象書類名】特許請求の範囲
【補正対象項目名】全文
【補正方法】変更
【補正の内容】
【特許請求の範囲】
【請求項１】
直径が約１０００分の１インチ未満の金合金ワイヤを、約周囲温度で、６０ｋＨｚを上回って２００ｋＨｚ未満の超音波ボンディング周波数を使用して、金合金コンタクトパッドにボールボンディングすることを含む、方法。
【請求項２】
前記金合金コンタクトパッドは、厚さが約１ミクロン未満である、請求項１に記載の方法。
【請求項３】
前記金合金コンタクトパッドは、前記ボールボンディング操作の前にプラズマ洗浄されない、請求項１に記載の方法。
【請求項４】
厚さが１ミクロン未満の金合金コンタクトパッドを有し、直径が３５ミクロン未満の金合金ボールボンドが、約周囲温度で、６０ｋＨｚを上回って２００ｋＨｚ未満の超音波ボンディング周波数を使用して、前記金合金コンタクトパッドにボンディングされている、電子ストレージデバイススライダを備える、システム。
【請求項５】
プリント回路基板であって、そこから延在する直径が約１０００分の１インチ未満の金ワイヤを有する、プリント回路基板と、
それぞれが厚さ１ミクロン未満の１つ以上の金合金コンタクトパッドを有するマイクロ電子デバイスのバーであって、前記金ワイヤは、約周囲温度で、６０ｋＨｚを上回って２００ｋＨｚ未満の超音波ボンディング周波数を使用して、前記マイクロ電子デバイスにボールボンディングされる、マクロ電子デバイスのバーと、を備える、システム。
【手続補正書】
【提出日】平成26年8月25日(2014.8.25)
【手続補正１】
【補正対象書類名】手続補正書
【補正対象項目名】手続補正２
【補正方法】追加
【補正の内容】
【手続補正２】
【補正対象書類名】明細書
【補正対象項目名】０００８
【補正方法】変更
【補正の内容】
【０００８】
【図１】  本発明品の斜視図
【図２】  本発明品の分解イラスト図
【手続補正書】
【提出日】平成26年6月24日(2014.6.24)
【手続補正１】
【補正対象書類名】特許請求の範囲
【補正対象項目名】全文
【補正方法】変更
【補正の内容】
【特許請求の範囲】
【請求項１】
第１ユーザと前記第１ユーザにより選択された第２ユーザとの対戦処理を実行する対戦処理手段、
前記第１ユーザが前記第２ユーザと対戦して勝利した場合に、報酬を前記第１ユーザに付与する報酬付与手段、
対戦処理前に、前記第１ユーザにより前記第２ユーザとして選択される複数のユーザのリストであって、それぞれのユーザについて、ユーザを示す情報と、当該ユーザが前記第１ユーザにより前記第２ユーザとして選択され前記第１ユーザが対戦して勝利した場合に前記第１ユーザに付与される報酬に関する情報とを含む複数のユーザのリストを前記第１ユーザに提示する第１提示手段、
を備える、ゲーム制御装置。
【請求項２】
前記第１提示手段は、前記第１ユーザが対戦して勝利した場合に前記第１ユーザに付与されることになる報酬が多いユーザがいずれのユーザであるかを前記第１ユーザが識別できるよう、前記複数のユーザのリストに含まれるユーザ毎の前記報酬に関する情報をそれぞれ比較可能な表示態様で前記第１ユーザに提示する、請求項１に記載のゲーム制御装置。
【請求項３】
前記報酬に関する情報は、報酬の内容を明示する情報、報酬の内容を暗示する情報のうち、少なくともいずれかの情報が含まれる、請求項１又は２に記載のゲーム制御装置。
【請求項４】
前記報酬に関する情報は、前記複数のユーザのリストに含まれるユーザ毎に所定の条件に基づいて決定される、請求項１〜３のいずれか一項に記載のゲーム制御装置。
【請求項５】
コンピュータを、
第１ユーザと前記第１ユーザにより選択された第２ユーザとの対戦処理を実行する対戦処理手段、
前記第１ユーザが前記第２ユーザと対戦して勝利した場合に、報酬を前記第１ユーザに付与する報酬付与手段、
対戦処理前に、前記第１ユーザにより前記第２ユーザとして選択される複数のユーザのリストであって、それぞれのユーザについて、ユーザを示す情報と、当該ユーザが前記第１ユーザにより前記第２ユーザとして選択され前記第１ユーザが対戦して勝利した場合に前記第１ユーザに付与される報酬に関する情報とを含む複数のユーザのリストを前記第１ユーザに提示する第１提示手段、として機能させるためのプログラム。
【請求項６】
第１ユーザと前記第１ユーザにより選択された第２ユーザとの対戦処理を実行する対戦処理手段、
前記第１ユーザが勝利した場合に、前記第２ユーザの対戦履歴に基づいて変動する報酬を前記第１ユーザに付与する報酬付与手段、
前記第１ユーザにより前記第２ユーザとして選択されるユーザのリストを、前記ユーザの対戦履歴に基づく情報又は前記第１ユーザに付与される報酬に関する情報とともに前記第１ユーザに対戦処理前に提示する第１提示手段、
を備える、ゲーム制御装置。
【請求項７】
前記報酬付与手段は、前記対戦処理において前記第２ユーザが敗北した場合に更新される履歴情報を用いて前記報酬を変動させる、請求項６に記載のゲーム制御装置。
【請求項８】
前記報酬付与手段は、前記第２ユーザの対戦履歴と前記第１ユーザの対戦履歴を比較して、前記第１ユーザに付与される報酬を変動させる、請求項６又は７に記載のゲーム制御装置。
【請求項９】
ユーザと他のユーザを関連付ける関連付け手段、
前記第２ユーザが前記第２ユーザに関連付けられた第３ユーザに対して前記第１ユーザとの対戦処理への参加を要請する要請手段、
前記第２ユーザの対戦相手のリストを、前記第２ユーザの対戦履歴に基づく情報又は前記第３ユーザに付与される報酬に関する情報とともに前記第３ユーザに対戦処理前に提示する第２提示手段、
を備え、
前記報酬付与手段は、前記第３ユーザが勝利した場合に、前記第２ユーザの対戦履歴に基づいて変動する報酬を前記第３ユーザに付与する、請求項６〜８のいずれか一項に記載のゲーム制御装置。
【請求項１０】
コンピュータに、
第１ユーザと前記第１ユーザにより選択された第２ユーザとの対戦処理を実行する機能、
前記第１ユーザが勝利した場合に、前記第２ユーザの対戦履歴に基づいて変動する報酬を前記第１ユーザに付与する機能、
前記第１ユーザにより前記第２ユーザとして選択されるユーザのリストを、前記ユーザの対戦履歴に基づく情報又は前記第１ユーザに付与される報酬に関する情報とともに前記第１ユーザに対戦処理前に提示する機能、
を実現するためのプログラム。
【請求項１１】
複数のユーザの通信端末と、当該通信端末からアクセスされるサーバとを含むゲームシステムであって、
第１ユーザと前記第１ユーザにより選択された第２ユーザとの対戦処理を実行する対戦処理手段、
前記第１ユーザが勝利した場合に、前記第２ユーザの対戦履歴に基づいて変動する報酬を前記第１ユーザに付与する報酬付与手段、
前記第１ユーザにより前記第２ユーザとして選択されるユーザのリストを、前記ユーザの対戦履歴に基づく情報又は前記第１ユーザに付与される報酬に関する情報とともに前記第１ユーザに対戦処理前に提示する第１提示手段、
の各手段を、前記通信端末または前記サーバのいずれか一方が備えた、ゲームシステム。
【手続補正書】
【提出日】平成26年8月25日(2014.8.25)
【手続補正１】
【補正対象書類名】特許請求の範囲
【補正対象項目名】全文
【補正方法】変更
【補正の内容】
【特許請求の範囲】
【請求項１】
対象物に対して照射光を走査することによって前記対象物の画像を取得する画像取得装置であって、
照明光を出射する光源と、
前記光源からの光を受けて前記照明光を前記対象物に対して走査する光走査部と、
前記光走査部を制御する光走査制御部と、
前記対象物からの光を導光する光学系と、
前記光学系により導光された光を撮像する複数の画素列が配列された受光部、及び前記受光部の信号読み出しを制御する撮像制御部を有し、前記受光部から前記複数の画素列ごとのローリング読み出しによる信号読み出しが可能な撮像装置と、
前記光走査部の走査による前記受光部上の被照射領域の移動速度に基づいて、隣接する前記画素列間の信号読み出しの間隔を算出する算出部とを備え、
前記撮像制御部は、算出された該信号読み出しの間隔に基づいて、各画素列の信号読み出しを制御する、
ことを特徴とする画像取得装置。
【請求項２】
前記撮像装置は、前記信号読み出しが駆動クロックに基づいて制御され、
前記撮像制御部は、算出された前記信号読み出しの間隔に基づいて、前記駆動クロックを調整する、
ことを特徴とする請求項１記載の画像取得装置。
【請求項３】
前記撮像制御部は、遅延期間を設けることで前記駆動クロックを調整する、
ことを特徴とする請求項２記載の画像取得装置。
【請求項４】
前記撮像制御部は、前記遅延期間を前記信号読み出しの前に設定する、
ことを特徴とする請求項３記載の画像取得装置。
【請求項５】
前記撮像制御部は、前記駆動クロックの周波数を変更することで前記駆動クロックを調整する、
ことを特徴とする請求項２記載の画像取得装置。
【請求項６】
前記撮像装置は、前記信号読み出しが駆動クロックに基づいて制御され、
前記撮像制御部は、算出された前記信号読み出しの間隔と前記駆動クロックの周波数に基づいて、前記信号読み出しを規定する駆動クロックの数を調整する、
ことを特徴とする請求項１記載の画像取得装置。
【請求項７】
前記撮像制御部は、前記信号読み出しの間隔を規定する駆動クロックの数を調整する、
ことを特徴とする請求項６記載の画像取得装置。
【請求項８】
前記撮像制御部は、前記信号読み出しの期間を規定する駆動クロックの数を調整する、
ことを特徴とする請求項７記載の画像取得装置。
【請求項９】
前記算出部は、前記被照射領域の移動速度、前記画素列の幅、及び前記被照射領域に対応する前記画素列の段数に基づいて、前記受光部による露光期間を設定する、
ことを特徴とする請求項１〜８のいずれか１項に記載の画像取得装置。
【請求項１０】
前記被照射領域に対応する前記画素列の段数は可変に設定される、
ことを特徴とする請求項９記載の画像取得装置。
【請求項１１】
前記撮像制御部は、それぞれの前記画素列を構成する複数の画素のうち、信号読み出しを行う画素数を可変に設定する、
ことを特徴とする請求項１〜１０のいずれか１項に記載の画像取得装置。
【請求項１２】
複数の画素列ごとのローリング読み出しによる信号読み出しが可能な撮像装置であって、
前記複数の画素列が配列された受光部と、
前記受光部の信号読み出しを制御する撮像制御部とを備え、
前記撮像制御部は、駆動クロックに基づいて前記信号読み出しを制御し、隣接する前記画素列間の信号読み出しの間隔を可変に設定することが可能なように構成されており、
隣接する前記画素列間の信号読み出しの間隔は、前記受光部上の被照射領域の移動速度に基づいて設定される、
ことを特徴とする撮像装置。
【請求項１３】
前記撮像制御部は、前記受光部上の被照射領域の移動速度を基に算出された前記信号読み出しの間隔に基づいて、前記駆動クロックを調整する、
ことを特徴とする請求項１２記載の撮像装置。
【請求項１４】
前記撮像制御部は、遅延期間を設けることで前記駆動クロックを調整する、
ことを特徴とする請求項１３記載の撮像装置。
【請求項１５】
前記撮像制御部は、前記遅延期間を前記信号読み出しの前に設定する、
ことを特徴とする請求項１４記載の撮像装置。
【請求項１６】
前記撮像制御部は、前記駆動クロックの周波数を変更することで前記駆動クロックを調整する、
ことを特徴とする請求項１３記載の撮像装置。
【請求項１７】
前記撮像制御部は、前記受光部上の被照射領域の移動速度を基に算出された前記信号読み出しの間隔と前記駆動クロックの周波数に基づいて、前記信号読み出しを規定する駆動クロックの数を調整する、
ことを特徴とする請求項１２載の撮像装置。
【請求項１８】
前記撮像制御部は、前記信号読み出しの間隔を規定する駆動クロックの数を調整する、
ことを特徴とする請求項１７記載の撮像装置。
【請求項１９】
前記撮像制御部は、前記信号読み出しの期間を規定する駆動クロックの数を調整する、
ことを特徴とする請求項１７記載の撮像装置。
【請求項２０】
前記被照射領域の移動速度、前記画素列の幅、及び前記被照射領域に対応する前記画素列の段数に基づいて、前記受光部による露光期間が設定される、
ことを特徴とする請求項１２〜１９のいずれか１項に記載の撮像装置。
【請求項２１】
前記被照射領域に対応する前記画素列の段数は可変に設定される、
ことを特徴とする請求項２０記載の撮像装置。
【請求項２２】
外部信号を受信する外部信号受信部をさらに備え、隣接する前記画素列間の信号読み出しの間隔は、外部信号に基づいて設定される、
ことを特徴とする請求項１２記載の撮像装置。
【請求項２３】
前記撮像制御部は、それぞれの前記画素列を構成する複数の画素のうち、信号読み出しを行う画素数を可変に設定する、
ことを特徴とする請求項１２〜２２のいずれか１項に記載の撮像装置。
【請求項２４】
対象物に対して照射光を走査することによって前記対象物の画像を取得する画像取得装置であって、
前記照射光を前記対象物に対して走査する光走査部と、
前記対象物の画像を撮像する複数の画素列を有し、前記複数の画素列ごとのローリング読み出しによる信号読み出しが可能な撮像装置と、を備え、
前記撮像装置の隣接する前記画素列間の信号読み出しの間隔は、前記ローリング読み出しによる信号読み出しと前記光走査部による前記照射光の走査とが同期するように設定される、
ことを特徴とする画像取得装置。
【請求項２５】
対象物に対して照射光を走査することによって前記対象物の画像を取得する画像取得装置に用いられ、複数の画素列ごとのローリング読み出しによる信号読み出しが可能な撮像装置であって、
前記複数の画素列が配列された受光部と、
前記受光部の信号読み出しを制御する撮像制御部と、を備え、
隣接する前記画素列間の信号読み出しの間隔は、前記ローリング読み出しによる信号読み出しと前記照射光の走査とが同期するように設定される、
ことを特徴とする撮像装置。
【手続補正書】
【提出日】平成26年3月17日(2014.3.17)
【手続補正１】
【補正対象書類名】特許請求の範囲
【補正対象項目名】全文
【補正方法】変更
【補正の内容】
【特許請求の範囲】
【請求項１】
ヒータ天蓋（１８）を備える、乳児を支えるためにベッドに隣接して利用する乳児保温器（１０）であって、該ヒータ天蓋（１８）は、
ヒータ天蓋（１８）に隣接して位置決め可能な、乳児を支えるためのベッドの固定の領域にわたって輻射エネルギーを全体として均一に分散させるように構成されたヒータ（３０）と、
選択的に光を発生させるように構成されたランプ（３２）と、
前記光の少なくとも一部分が該ステンシル（３４）を通過して前記ベッド上に投影像（５６）を生成するように、前記ランプ（３２）を基準として位置決めされたステンシル（３４）と、
を含み、
乳児を温めるための前記固定の領域内に前記乳児を位置決めするために、前記投影像が前記ベッド上の前記固定の領域の外周縁を特定するように、前記ランプと前記ステンシルが協調的に整列する、
乳児保温器（１０）。
【請求項２】
前記ヒータ天蓋（１８）は、ヒータ天蓋を壁面に対して確保するように構成された壁面取付装置を含む、請求項１に記載の乳児保温器（１０）。
【請求項３】
前記ヒータ天蓋（１８）に接続されたフレーム（１４）をさらに備える請求項１に記載の乳児保温器（１０）。
【請求項４】
前記フレーム（１４）は、ヒータ（３０）を基準として前記乳児を垂直方向に位置決めするように構成された高さ調整マーク（２４、２６）を含む、請求項３に記載の乳児保温器（１０）。
【請求項５】
前記ステンシル（３４）は透明部分（５０）及び不透明部分（５２）を備える、請求項１に記載の乳児保温器（１０）。
【請求項６】
前記ステンシル（３４）の不透明部分（５２）は、投影像（５６）を生成するように構成されたステンシルパターン（５４）を規定している、請求項５に記載の乳児保温器（１０）。
【請求項７】
ヒータ天蓋（１８）であって、
乳児を支えるためのベッドの固定の領域にわたって輻射エネルギーを全体として均一に分散させるように構成されたヒータ（３０）であって、ヒータ天蓋（１８）が前記ベッドに隣接して位置決め可能である、ヒータ（３０）と、
前記固定領域に比例するステンシルパターン（５４）を規定しているステンシル（３４）と、
前記ステンシル（３４）を通して光を選択的に透過させ、これにより前記ステンシルパターン（５４）に基づいて前記ベッド上の前記固定領域を視覚的にハイライトするように構成された投影像（５６）を生成するように構成されたランプ（３２）と、
を含むヒータ天蓋（１８）と、
前記ヒータ天蓋（１８）に接続されたフレーム（１４）と、
前記フレーム（１４）に接続され、前記ベッドに対して前記ヒータを位置決めするために前記ベッドに対して移動可能な基部（１２）と、
を備え、
乳児を温めるための前記固定領域内に前記乳児を位置決めするために、前記ランプと前記ステンシルが協調的に、前記投影像が前記ベッド上の前記固定領域の外周縁を特定するように構成された、
乳児を支えるためにベッドに隣接して利用する乳児保温器（１０）。
【請求項８】
前記フレーム（１４）は、ヒータ（３０）を基準として前記乳児を垂直方向に位置決めするように構成された高さ調整マーク（２４、２６）を含む、請求項７に記載の乳児保温器（１０）。
【請求項９】
前記基部（１２）は、該乳児保温器（１０）の並進を容易にするように適応させた複数の車輪（２０）を備える、請求項７に記載の乳児保温器（１０）。
【請求項１０】
前記ステンシル（３４）は透明部分（５０）及び不透明部分（５２）を備える、請求項７に記載の乳児保温器（１０）。
【手続補正書】
【提出日】平成26年3月13日(2014.3.13)
【手続補正１】
【補正対象書類名】特許請求の範囲
【補正対象項目名】全文
【補正方法】変更
【補正の内容】
【特許請求の範囲】
【請求項１】
光源部から出射された光束を測定光束と参照光束に分け、前記測定光束を被検眼に向けて照射し、前記被検眼で反射した前記測定光束と，前記参照光束と，が合成された干渉光を受光素子によって受光し、前記受光素子から出力される受光信号を処理して、被検眼の断層像を取得する眼科撮影装置であって、
前記光源部は、
被検眼の眼底断層像を得るために設けられた第１波長光を発生する第１の光源と、
被検眼の前眼部断層像を得るために設けられた第２波長光を発生する第２の光源と、を有し、
前記第１の光源を制御し、前記第１の光源による第１波長光を用いて被検眼の眼底断層像を取得する一方、前記第２の光源を制御し、前記第２の光源による第２波長光を用いて被検眼の前眼部断層像を取得する制御手段を備えることを特徴とする眼科撮影装置。
【請求項２】
光源から出射された光束を測定光束と参照光束に分け、前記測定光束を被検眼に向けて照射し、前記被検眼で反射した前記測定光束と，前記参照光束と，が合成された干渉光を受光素子によって受光し、前記受光素子から出力される受光信号を処理して、被検眼の断層像を取得する眼科撮影装置であって、
第１波長光を発生する第１の光源を制御し、前記第１波長光を用いて被検眼の眼底断層像を取得する一方、前記第１波長光とは異なる波長の光である第２波長光を発生する第２の光源を制御し、前記第２波長光を用いて被検眼の前眼部断層像を取得する制御手段を備えることを特徴とする眼科撮影装置。
【請求項３】
請求項１又は２の眼科撮影装置において、
前記第１の光源は、λ＝８００〜１１００ｎｍの間に中心波長を持つ波長帯域において時間的に波長を走査する第１の波長走査型光源であって、
前記第２の光源は、λ＝１２００以上に中心波長を持つ波長帯域において時間的に波長を走査する第２の波長走査型光源であることを特徴とする眼科撮影装置。
【請求項４】
請求項１〜３のいずれかの眼科撮影装置において、
前記第１波長光を出射するためのレーザ発振の第１共振器と、
前記第１共振器内に設けられ、発振する波長に利得を有する第１ゲイン媒体と、
前記第２波長光を出射するためのレーザ発振の第２共振器と、
前記第２共振器内に設けられ、発振する波長に利得を有する第２ゲイン媒体と、
前記第１共振器及び前記第２共振器の両共振器内に配置され、選択波長を連続的に可変する波長可変光フィルタと、を備えることを特徴とする眼科撮影装置。
【手続補正２】
【補正対象書類名】明細書
【補正対象項目名】０００７
【補正方法】変更
【補正の内容】
【０００７】
上記課題を解決するために、本発明は以下のような構成を備えることを特徴とする。
（１）  本開示の第１態様に係る眼科撮影装置は、光源部から出射された光束を測定光束と参照光束に分け、前記測定光束を被検眼に向けて照射し、前記被検眼で反射した前記測定光束と，前記参照光束と，が合成された干渉光を受光素子によって受光し、前記受光素子から出力される受光信号を処理して、被検眼の断層像を取得する眼科撮影装置であって、前記光源部は、被検眼の眼底断層像を得るために設けられた第１波長光を発生する第１の光源と、被検眼の前眼部断層像を得るために設けられた第２波長光を発生する第２の光源と、を有し、前記第１の光源を制御し、前記第１の光源による第１波長光を用いて被検眼の眼底断層像を取得する一方、前記第２の光源を制御し、前記第２の光源による第２波長光を用いて被検眼の前眼部断層像を取得する制御手段を備えることを特徴とする。
（２）  本開示の第２態様に係る眼科撮影装置は、光源から出射された光束を測定光束と参照光束に分け、前記測定光束を被検眼に向けて照射し、前記被検眼で反射した前記測定光束と，前記参照光束と，が合成された干渉光を受光素子によって受光し、前記受光素子から出力される受光信号を処理して、被検眼の断層像を取得する眼科撮影装置であって、
第１波長光を発生する第１の光源を制御し、前記第１波長光を用いて被検眼の眼底断層像を取得する一方、前記第１波長光とは異なる波長の光である第２波長光を発生する第２の光源を制御し、前記第２波長光を用いて被検眼の前眼部断層像を取得する制御手段を備えることを特徴とする。
【手続補正書】
【提出日】平成26年8月22日(2014.8.22)
【手続補正１】
【補正対象書類名】明細書
【補正対象項目名】０００６
【補正方法】変更
【補正の内容】
【０００６】
本発明に係る空気調和機は、据付装置主板と、前記据付装置主板の上端に設けられた上部支持片と、を有した据付装置を備え、前記上部支持片は、１つの上端部と、前記上端部の両端と一端とがそれぞれ繋がっている２つの左右端部と、２つの前記左右端部の他端と一端とがそれぞれ繋がっており、一部がそれぞれ前記据付装置主板の上端と繋がっている２つの根元部を備えており、これらを２つ折りにした２枚重ね構造である。
【手続補正２】
【補正対象書類名】特許請求の範囲
【補正対象項目名】全文
【補正方法】変更
【補正の内容】
【特許請求の範囲】
【請求項１】
据付装置主板と、
前記据付装置主板の上端に設けられた上部支持片と、を有した据付装置を備え、
前記上部支持片は、
１つの上端部と、
前記上端部の両端と一端とがそれぞれ繋がっている２つの左右端部と、
２つの前記左右端部の他端と一端とがそれぞれ繋がっており、一部がそれぞれ前記据付装置主板の上端と繋がっている２つの根元部を備えており、
これらを２つ折りにした２枚重ね構造である
ことを特徴とする空気調和機。
【請求項２】
前記上部支持片は、
前記上端部と、前記左右端部と、前記根元部とを切欠くことなく連続的に２つ折りした２枚重ね構造である
ことを特徴とする請求項１に記載の空気調和機。
【請求項３】
前記上部支持片は、
前記上端部と前記左右端部との繋がり部分に切欠きを設けた
ことを特徴とする請求項１又は２に記載の空気調和機。
【請求項４】
前記上部支持片が、
少なくとも２箇所に設けられている
ことを特徴とする請求項１〜３のいずれかに記載の空気調和機。
【請求項５】
前記据付装置は、
材質が鋼である
ことを特徴とする請求項１〜４のいずれかに記載の空気調和機。
【手続補正書】
【提出日】平成26年5月29日(2014.5.29)
【手続補正１】
【補正対象書類名】特許請求の範囲
【補正対象項目名】全文
【補正方法】変更
【補正の内容】
【特許請求の範囲】
【請求項１】
レンズ面が一方向に配列されたリニアフレネルレンズシートであって、
当該リニアフレネルレンズシートのシート面への法線方向に関して互いに同一の側に傾斜している複数の第１レンズ面を含む第１レンズ面群と、
当該リニアフレネルレンズシートのシート面への法線方向に関して前記第１レンズ面とは逆の側に傾斜している複数の第２レンズ面を含む第２レンズ面群と、
前記一方向において前記第１レンズ面群と前記第２レンズ面群との間に設けられ、当該リニアフレネルレンズシートのシート面に沿って延びる複数の平坦面を含む平坦部と、
を備え、
前記第１レンズ面群のうち、より前記一方向の前記平坦部とは反対の側に配列された前記第１レンズ面の方が、前記シート面に対する傾斜角度が大きくなるようになっており、  前記第２レンズ面群のうち、より前記一方向の前記平坦部とは反対の側に配列された前記第２レンズ面の方が、前記シート面に対する傾斜角度が大きくなるようになっている、リニアフレネルレンズシート。
【請求項２】
前記複数の平坦面は、前記シート面に沿った長さが一定である、請求項１に記載のリニアフレネルレンズシート。
【請求項３】
前記平坦部は、前記法線方向において互いに異なる位置に配置された複数の平坦面を含んでいる、請求項１または２に記載のリニアフレネルレンズシート。
【請求項４】
前記複数の平坦面は、複数の第１平坦面からなる第１平坦面群と、当該第１平坦面群と前記第２レンズ面群との間に位置し、複数の第２平坦面からなる第２平坦面群と、を含み、
前記第１平坦面群のうち、より前記一方向の前記第１レンズ面群の側に配列された前記第１平坦面の方が、前記法線方向において外方に位置するようになっており、
前記第２平坦面群のうち、より前記一方向の前記第２レンズ面群に配列された前記第２平坦面の方が、前記法線方向において外方に位置するようになっている、請求項２または３に記載のリニアフレネルレンズシート。
【請求項５】
前記一方向に沿って最も前記平坦部側にある前記第１レンズ面群の前記第１レンズ面について、前記シート面に対する傾斜角度が、小数点以下第３位を四捨五入して０．０１度以上であり、
前記一方向に沿って最も前記平坦部側にある前記第２レンズ面群の前記第２レンズ面について、前記シート面に対する傾斜角度が、小数点以下第３位を四捨五入して０．０１度以上である、請求項１乃至４のいずれかに記載のリニアフレネルレンズシート。
【請求項６】
リニアフレネルレンズシートを製造するために用いられ、レンズ面を作製するための傾斜面がその軸線方向に配列されているロール状の型であって、
前記軸線方向に配列された複数の第１環状溝を含み、各第１環状溝が第１傾斜面を画成する、第１環状溝群と、
前記軸線方向に配列された複数の第２環状溝を含み、各第２環状溝が第２傾斜面を画成する、第２環状溝群と、
前記第１環状溝群と前記第２環状溝群との間に配置された中間部と、を備え、
前記第１環状溝群に含まれる複数の第１傾斜面は、軸線を通る断面において、当該軸線方向と直交する半径方向に関して互いに同一の側に傾斜し、
前記第２環状溝群に含まれる複数の第２傾斜面は、前記軸線を通る断面において、当該軸線方向と直交する半径方向に関して前記第１傾斜面とは逆の側に傾斜し、
前記第１環状溝群のうち、より軸線方向の前記中間部とは反対の側に配列された前記第１環状溝の前記第１傾斜面の方が、前記軸線方向に対する傾斜角度が大きくなるようになっており、
前記第２環状溝群のうち、より軸線方向の前記中間部とは反対の側に配列された前記第２環状溝の前記第２傾斜面の方が、前記軸線方向に対する傾斜角度が大きくなるようになっており、
前記中間部は、円筒面を画成する平坦円筒部を複数含む、
リニアフレネルレンズシートを製造するためのロール状の型。
【請求項７】
前記複数の平坦円筒部は、前記軸線方向に沿った長さが互いに等しい、請求項６に記載のリニアフレネルレンズシートを製造するためのロール状の型。
【請求項８】
前記中間部は、前記半径方向において互いに異なる位置に円筒面を画成する複数の平坦円筒部を含んでいる、請求項６または７に記載のリニアフレネルレンズシートを製造するためのロール状の型。
【請求項９】
前記中間部は、複数の第１平坦円筒部を含む第１平坦円筒部群と、当該第１平坦部群と前記第２環状溝群との間に位置し、複数の第２平坦円筒部を含む第２平坦円筒部群と、を含み、
前記第１平坦円筒部群のうち、より前記軸線方向の前記第１環状溝群の側に配置された前記第１平坦円筒部の方が、直径が小さい円筒面を画成するようになっており、
前記第２平坦円筒部群のうち、より軸線方向の前記第２環状溝群の側に配置された前記第２平坦円筒部の方が、直径が小さい円筒面を画成するようになっている、請求項６または７に記載のリニアフレネルレンズシートを製造するためのロール状の型。
【手続補正書】
【提出日】平成26年7月17日(2014.7.17)
【手続補正１】
【補正対象書類名】特許請求の範囲
【補正対象項目名】全文
【補正方法】変更
【補正の内容】
【特許請求の範囲】
【請求項１】
縦方向には首がすわる時期の乳児の少なくとも頭部下半分から臀部までを支え、形状は平坦であり、横方向には、首がすわる時期の乳児の胴体が入る幅で、形状は胴体の丸みに添って胴体を安定保持するための緩いカーブが設けられており、そのカーブは上部はほぼ平坦で、下部に向かうに従い大きなカーブとなっている背もたれ部Ａと、上記背もたれ部の下部から続いて臀部から臀部体側部と股間を緩い卵殻様形状に安定保持する座面部Ｂで構成されている保育用具。
【請求項２】
前記背もたれ部Ａの両側部中ほどには、乳児が顔を横に向けて母乳授乳を受ける事を妨げない位置で、かつ、乳児が開脚して座る事を妨げない位置に、乳児を両側部から支えるための両側部から隆起している胴体安定保持部Ｃを有する、請求項１に記載の保育用具。
【請求項３】
前記座面部Ｂは、背もたれ部Ａ下部から続いて乳児の臀部から臀部体側部と股間を緩い卵殻様形状に安定保持し、かつ乳児が開脚して座ることを妨げない形状に形成されている請求項１又は２に記載の保育用具。
【請求項４】
前記背もたれ部Ａの上端部は、保育者の腕に掛かるように、背面側へ折り返された形状に形成されている反り部Ｄを備えた、請求項１乃至３の何れかの請求項に記載の保育用具。
【手続補正書】
【提出日】平成26年4月28日(2014.4.28)
【手続補正１】
【補正対象書類名】特許請求の範囲
【補正対象項目名】全文
【補正方法】変更
【補正の内容】
【特許請求の範囲】
【請求項１】
遊技領域に設けられた複数の可動役物と、各々の可動役物に対して設けられ、対応する可動役物を動作させるための駆動手段とを備えた遊技機であって、
前記複数の可動役物毎に、その可動役物の動作を設定する設定手段と、
前記複数の可動役物の動作状況を判断する判断手段と、
前記設定手段により一の可動役物に対して動作させることが設定された場合に、前記判断手段による判断結果に基づいて、前記一の可動役物の動作を非実行とさせるべき状況にあるかを判定する判定手段と、
その判定手段により前記一の可動役物の動作を非実行とさせるべき状況にある場合は、前記設定手段により動作させることが設定された前記一の可動役物に対応する前記駆動手段の駆動を非実行とする非実行手段とを備えることを特徴とする遊技機。
【請求項２】
前記判定手段は、前記判断手段により、少なくとも所定数の可動役物が動作している状況にあると判断される場合に、前記一の可動役物の動作を非実行とすべき状況にあると判定することを特徴とする請求項１記載の遊技機。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正書】
【提出日】平成26年8月5日(2014.8.5)
【手続補正１】
【補正対象書類名】特許請求の範囲
【補正対象項目名】全文
【補正方法】変更
【補正の内容】
【特許請求の範囲】
【請求項１】
利用者を被写体として撮影して撮影画像を取得する撮影部と、
付加画像とトリミング枠が設けられたモバイル端末用画像と、取得された前記撮影画像とを重ねて表示する表示部と、
前記利用者による指示に基づいて、前記撮影画像における前記トリミング枠の内部に表示された部分を抽出し、抽出された前記部分を前記モバイル端末用画像に合成して送信用画像を生成する画像処理部と、
生成された前記送信用画像をモバイル端末又はサーバに送信する出力部と、を備える遊戯用撮影装置。
【請求項２】
前記画像処理部は、前記利用者による指示に基づいて、前記撮影画像及び前記トリミング枠の少なくともいずれか一方に対して、移動、回転、拡大及び縮小のうちの少なくとも１つの処理を実行する請求項１に記載の遊戯用撮影装置。
【請求項３】
前記表示部は、前記モバイル用端末画像と前記撮影画像とを重ねて表示する場合において、前記撮影画像における前記トリミング枠以外の部分も表示する請求項１又は２に記載の遊戯用撮影装置。
【請求項４】
利用者を被写体として撮影して撮影画像を取得するステップと、
付加画像とトリミング枠が設けられたモバイル端末用画像と、取得された前記撮影画像とを重ねて表示するステップと、
前記撮影画像における前記トリミング枠の内部に表示された部分を抽出し、抽出された前記部分を前記モバイル端末用画像に合成して送信用画像を生成するステップと、
生成された前記送信用画像をモバイル端末又はサーバに送信するステップと、を備える遊戯用撮影方法。
【請求項５】
コンピュータを遊戯用撮影装置として機能させる処理を実行するコンピュータプログラムであって、前記処理は、
利用者を被写体として撮影して撮影画像を取得するステップと、
付加画像とトリミング枠が設けられたモバイル端末用画像と、取得された前記撮影画像とを重ねて表示するステップと、
前記撮影画像における前記トリミング枠の内部に表示された部分を抽出し、抽出された前記部分を前記モバイル端末用画像に合成して送信用画像を生成するステップと、
生成された前記送信用画像をモバイル端末又はサーバに送信するステップと、を含むコンピュータプログラム。
【手続補正２】
【補正対象書類名】明細書
【補正対象項目名】発明の名称
【補正方法】変更
【補正の内容】
【発明の名称】遊戯用撮影装置、遊戯用撮影方法及びコンピュータプログラム
【手続補正３】
【補正対象書類名】明細書
【補正対象項目名】０００１
【補正方法】変更
【補正の内容】
【０００１】
本発明は、遊戯用撮影装置、遊戯用撮影方法及びコンピュータプログラムに関する。
【手続補正４】
【補正対象書類名】明細書
【補正対象項目名】０００６
【補正方法】変更
【補正の内容】
【０００６】
上記特許文献１に記載の従来の画像編集装置では、撮影画像に対する切り取り範囲を表すトリミング枠のみを撮影画像に重ねて表示する構成である。
このため、従来の画像編集装置では、付加画像との相対的な位置関係を確認しながら、仕上がり具合を予測してトリミング範囲を選択することができず、所望の編集済み画像を得るのが難しいという欠点があった。
【手続補正５】
【補正対象書類名】明細書
【補正対象項目名】０００７
【補正方法】変更
【補正の内容】
【０００７】
本発明は、かかる従来の問題点に鑑み、付加画像との相対的な位置関係を考慮しつつトリミング範囲を選択できる遊戯用撮影装置等を提供することを目的とする。
【手続補正６】
【補正対象書類名】明細書
【補正対象項目名】０００８
【補正方法】変更
【補正の内容】
【０００８】
（１）  本発明の遊戯用撮影装置は、利用者を被写体として撮影して撮影画像を取得する撮影部と、付加画像とトリミング枠が設けられたモバイル端末用画像と、取得された前記撮影画像とを重ねて表示する表示部と、前記利用者による指示に基づいて、前記撮影画像における前記トリミング枠の内部に表示された部分を抽出し、抽出された前記部分を前記モバイル端末用画像に合成して送信用画像を生成する画像処理部と、生成された前記送信用画像をモバイル端末又はサーバに送信する出力部と、を備えることを特徴とする。
【手続補正７】
【補正対象書類名】明細書
【補正対象項目名】０００９
【補正方法】変更
【補正の内容】
【０００９】
本発明の遊戯用撮影装置は、表示部が、付加画像とトリミング枠が設けられたモバイル端末用画像と、取得された撮影画像とを重ねて表示し、画像処理部が、利用者による指示に基づいて、撮影画像におけるトリミング枠の内部に表示された部分を抽出し、抽出された部分をモバイル端末用画像に合成して送信用画像を生成する構成である。
このため、利用者は、付加画像と撮影画像との相対的な位置関係を確認しながら、仕上がりを予想してトリミング範囲を選択することができるので、所望の編集済み画像を生成するのが容易になる。
【手続補正８】
【補正対象書類名】明細書
【補正対象項目名】００１０
【補正方法】変更
【補正の内容】
【００１０】
（２）  本発明の遊戯用撮影装置において、前記画像処理部は、前記利用者による指示に基づいて、前記撮影画像及び前記トリミング枠の少なくともいずれか一方に対して、移動、回転、拡大及び縮小のうちの少なくとも１つの処理を実行することが好ましい。
このようにすれば、利用者は、トリミング枠によって撮影画像を切り取る範囲を自由に設定することができる。
【手続補正９】
【補正対象書類名】明細書
【補正対象項目名】００１１
【補正方法】変更
【補正の内容】
【００１１】
（３）  本発明の遊戯用撮影装置において、前記表示部は、前記モバイル用端末画像と前記撮影画像とを重ねて表示する場合において、前記撮影画像における前記トリミング枠以外の部分も表示することが好ましい。
このようにすれば、利用者は、トリミング枠外の部分を含んだ撮影画像全体を見ながら撮影画像の移動等の操作を行うことができるため、トリミング範囲の選択を容易に行うことができる。
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】変更
【補正の内容】
【００１３】
（４） 本発明の遊戯用撮影方法は、上述の（１）〜（３）に記載した本発明の遊戯用撮影装置が行う遊戯用撮影方法である。
このため、本発明の遊戯用撮影方法は、本発明の遊戯用撮影装置と同様の作用効果を奏する。
【手続補正１２】
【補正対象書類名】明細書
【補正対象項目名】００１４
【補正方法】変更
【補正の内容】
【００１４】
（５）  本発明のコンピュータプログラムは、コンピュータを上述の（１）〜（３）に記載した本発明の遊戯用撮影装置として機能させるためのプログラムである。
このため、本発明のコンピュータプログラムは、本発明の遊戯用撮影装置と同様の作用効果を奏する。
【手続補正１３】
【補正対象書類名】明細書
【補正対象項目名】００１５
【補正方法】変更
【補正の内容】
【００１５】
以上の通り、本発明によれば、付加画像との相対的な位置関係を考慮しつつトリミング範囲を選択できるので、所望の編集済み画像を生成するのが容易になる。
【手続補正書】
【提出日】平成26年5月16日(2014.5.16)
【手続補正１】
【補正対象書類名】特許請求の範囲
【補正対象項目名】全文
【補正方法】変更
【補正の内容】
【特許請求の範囲】
【請求項１】
ペプチド、ポリペプチドまたはタンパク質の多種多様なファミリーのメンバーを提示し、そして該ファミリーの少なくとも一部を集合的に提示する、遺伝的パッケージの収集物を含むライブラリーであって、該提示されるペプチド、ポリペプチドまたはタンパク質は、以下：
（ａ）式Ｓ−Ｘ１−Ｙ−Ｘ２−Ｍ−Ｘ３−のアミノ酸配列を有する重鎖ＣＤＲ１であって、ここで、Ｘ１、Ｘ２およびＸ３は、Ａ、Ｄ、Ｅ、Ｆ、Ｇ、Ｈ、Ｉ、Ｋ、Ｌ、Ｍ、Ｎ、Ｐ、Ｑ、Ｒ、Ｓ、Ｔ、Ｖ、ＷおよびＹからなる群より独立して選択される、重鎖ＣＤＲ１、ならびに
（ｂ）式Ｘ４−Ｉ−Ｘ５−Ｘ６−Ｓ−Ｇ−Ｇ−Ｘ７−Ｔ−Ｘ８−Ｙ−Ａ−Ｄ−Ｓ−Ｖ−Ｋ−Ｇ−のアミノ酸配列を有する重鎖ＣＤＲ２であって、ここで、Ｘ４およびＸ５は、Ｙ、Ｒ、Ｗ、Ｖ、ＧおよびＳからなる群より独立して選択され、Ｘ６は、ＰおよびＳからなる群より選択され、そして、Ｘ７およびＸ８は、Ａ、Ｄ、Ｅ、Ｆ、Ｇ、Ｈ、Ｉ、Ｋ、Ｌ、Ｍ、Ｎ、Ｐ、Ｑ、Ｒ、Ｓ、Ｔ、Ｖ、ＷおよびＹからなる群より独立して選択される、重鎖ＣＤＲ２
をコードする配列を含む複数の核酸によってコードされる、ライブラリー。
【請求項２】
請求項１に記載のライブラリーであって、前記複数の核酸は、以下の工程：
（ｉ）プライマーを用いて核酸を増幅する工程であって、ここで、該プライマーのうちの１つは、該核酸に結合された合成配列の少なくとも一部に対して相補的である、工程；
（ｉｉ）該増幅した核酸を一本鎖にする工程；
（ｉｉｉ）該増幅した一本鎖核酸を、一本鎖オリゴヌクレオチドと接触させる工程であって、ここで、該オリゴヌクレオチドは、切断が所望される領域において該一本鎖核酸に対して相補的であり、ここで、該一本鎖核酸と該一本鎖オリゴヌクレオチドとが会合して、該一本鎖核酸の局部的に二本鎖の領域を形成し、そしてここで該局部的に二本鎖の領域は、制限エンドヌクレアーゼ認識部位を含む、工程；および
（ｉｖ）該核酸を該制限エンドヌクレアーゼ認識部位で切断する工程であって、ここで、該切断工程は、制限エンドヌクレアーゼを該局部的に二本鎖の領域に接触させる工程を含み、ここで、該制限エンドヌクレアーゼは、該制限エンドヌクレアーゼ認識部位に特異的であり、そして該切断は、該核酸から全ての望ましくない５’ヌクレオチドを除去する、工程；
を包含する方法によって入手可能であり、
該接触工程および該切断工程は、ある温度で行われ、ここで、該該一本鎖核酸と該一本鎖オリゴヌクレオチドとが会合して、該一本鎖核酸の局部的に二本鎖の領域を形成し、ここで、該一本鎖核酸の残部は一本鎖であり、そしてここで、該制限エンドヌクレアーゼは、該温度で活性である、ライブラリー。
【請求項３】
請求項１に記載のライブラリーであって、前記複数の核酸は、以下の工程：
（ｉ）プライマーを用いて核酸を増幅する工程であって、ここで、該プライマーのうちの１つは、該核酸に結合された合成配列の少なくとも一部に対して相補的である、工程；
（ｉｉ）該増幅した核酸を一本鎖にする工程；
（ｉｉｉ）該増幅した一本鎖核酸を、部分的に二本鎖のオリゴヌクレオチドと接触させる工程であって、ここで、該オリゴヌクレオチドの一本鎖領域は、切断が所望される領域において該一本鎖核酸に対して相補的であり、ここで、該オリゴヌクレオチドの二本鎖領域は、ＩＩ−Ｓ型制限エンドヌクレアーゼ認識部位を有し、ここで、該一本鎖核酸と該オリゴヌクレオチドの該一本鎖領域とが会合して、該一本鎖核酸の局部的に二本鎖の領域を形成し、そしてここで該局部的に二本鎖の領域は、ＩＩ−Ｓ型切断部位を含む、工程；ならびに
（ｉｖ）該核酸を該ＩＩ−Ｓ型切断部位で切断する工程であって、該切断工程は、ＩＩ−Ｓ型制限エンドヌクレアーゼを、該一本鎖核酸の該局部的に二本鎖の領域に接触させる工程を含み、ここで、該ＩＩ−Ｓ型制限エンドヌクレアーゼは、ＩＩ−Ｓ型制限エンドヌクレアーゼ認識部位に特異的である、工程；
を包含する方法によって入手可能であり、
該接触工程および該切断工程は、ある温度で行われ、ここで、該一本鎖核酸と該オリゴヌクレオチドの該一本鎖領域とが会合して、該一本鎖核酸の局部的に二本鎖の領域を形成し、ここで、該一本鎖核酸の残部は一本鎖であり、そしてここで、該ＩＩ−Ｓ型制限エンドヌクレアーゼは、該温度で活性である、ライブラリー。
【請求項４】
前記方法が、工程（ｉ）における増幅の前に、前記多種多様なファミリーのメンバーをコードする核酸の収集物を調製する工程をさらに含む、請求項２または請求項３に記載のライブラリー。
【請求項５】
前記方法が、工程（ｉｖ）における切断の後に、前記切断された核酸によって少なくとも部分的にコードされるペプチド、ポリペプチドまたはタンパク質のファミリーのメンバーを、前記遺伝的パッケージの表面上に提示し、そして該ファミリーの多様性の少なくとも一部を集合的に提示する工程をさらに含む、請求項２または請求項３に記載のライブラリー。
【請求項６】
前記核酸が、免疫グロブリンの少なくとも一部をコードする、請求項１〜３のいずれか一項に記載のライブラリー。
【請求項７】
前記核酸が、Ｆａｂまたは単鎖Ｆｖをコードする、請求項１〜３のいずれか一項に記載のライブラリー。
【請求項８】
前記核酸が、重鎖の少なくとも一部、または軽鎖の少なくとも一部を含む免疫グロブリンをコードする、請求項１〜３のいずれか一項に記載のライブラリー。
【請求項９】
前記核酸配列の少なくとも一部が、少なくとも１つの自己免疫疾患および／またはがんを罹患した患者由来である、請求項１〜３のいずれか一項に記載のライブラリー。
【請求項１０】
前記制限エンドヌクレアーゼが、ＭａｅＩＩＩ、Ｔｓｐ４５Ｉ、ＨｐｈＩ、ＢｓａＪＩ、ＡｌｕＩ、ＢｌｐＩ、ＤｄｅＩ、ＢｇｌＩＩ、ＭｓｌＩ、ＢｓｉＥＩ、ＥａｅＩ、ＥａｇＩ、ＨａｅＩＩＩ、Ｂｓｔ４ＣＩ、ＨｐｙＣＨ４ＩＩＩ、ＨｉｎｆＩ、ＭｌｙＩ、ＰｌｅＩ、ＭｎｌＩ、ＨｐｙＣＨ４Ｖ、ＢｓｍＡＩ、ＢｐｍＩ、ＸｍｎＩ、およびＳａｃＩを含む群から選択される、請求項２または請求項３に記載のライブラリー。
【請求項１１】
前記ＩＩ−Ｓ型制限エンドヌクレアーゼが、ＡａｒＩＣＡＣ、ＡｃｅＩＩＩ、Ｂｂｒ７Ｉ、ＢｂｖＩ、ＢｂｖＩＩ、Ｂｃｅ８３Ｉ、ＢｃｅＡＩ、ＢｃｅｆＩ、ＢｃｉＶＩ、ＢｆｉＩ、ＢｉｎＩ、ＢｓｃＡＩ、ＢｓｅＲＩ、ＢｓｍＦＩ、ＢｓｐＭＩ、ＥｃｉＩ、Ｅｃｏ５７Ｉ、ＦａｕＩ、ＦｏｋＩ、ＧｓｕＩ、ＨｇａＩ、ＨｐｈＩ、ＭｂｏＩＩ、ＭｌｙＩ、ＭｍｅＩ、ＭｎｌＩ、ＰｌｅＩ、ＲｌｅＡＩ、ＳｆａＮＩ、ＳｓｐＤ５Ｉ、Ｓｔｈ１３２Ｉ、ＳｔｓＩ、ＴａｑＩＩ、Ｔｔｈ１１１ＩＩ、またはＵｂａＰＩを含む群から選択される、請求項３に記載のライブラリー。
【請求項１２】
前記核酸が、ＶＨ  ３−２３のフレームワーク領域をコードする配列をさらに含む、請求項１〜３のいずれか一項に記載のライブラリー。
【請求項１３】
前記遺伝的パッケージがＭ１３ファージである、請求項１〜３のいずれか一項に記載のライブラリー。
【請求項１４】
前記核酸が、ファージベクターまたはファージミドベクター中にある、請求項１〜３のいずれか一項に記載のライブラリー。
【手続補正書】
【提出日】平成26年4月16日(2014.4.16)
【手続補正１】
【補正対象書類名】特許請求の範囲
【補正対象項目名】全文
【補正方法】変更
【補正の内容】
【特許請求の範囲】
【請求項１】
画像データから特徴量を取得し、該取得された画像特徴量と、第１の重みが対応づけられている第１の特徴量と第２の重みが対応づけられている第２の特徴量とを比較し、該比較結果に基づいて前記画像データのシーンを判定する判定手段と、
前記判定手段によって判定されたシーンと前記第１の重みとに基づき、前記画像データの明るさを補正する補正手段と、
を有することを特徴とする画像処理装置。
【請求項２】
前記画像特徴量は明度成分と色差成分であり、前記判定手段は、少なくとも明度成分と色差成分とを含む特徴量空間において、前記画像データのシーンを判定することを特徴とする請求項１に記載の画像処理装置。
【請求項３】
前記画像特徴量は明度成分と色差成分であり、前記判定手段は、少なくとも明度成分と色差成分とを含む特徴量空間において、前記画像データの明度成分と色差成分を示す座標と前記第１の特徴量を示す座標との距離を算出し、前記画像データの明度成分と色差成分を示す座標と前記第２の特徴量を示す座標との距離を算出し、前記算出した距離のうち、前記画像データの明度成分と色差成分を示す座標から最も距離が短い座標が示す特徴量に対応づけられているシーンを、前記画像データのシーンとして判定することを特徴とする請求項１又は２に記載の画像処理装置。
【請求項４】
前記第１の特徴量が、前記画像データの明度成分と色差成分を示す座標から最も距離が短い座標が示す特徴量であることを特徴とする請求項１乃至３のいずれか１項に記載の画像処理装置。
【請求項５】
前記補正手段は、さらに、前記第１の特徴量と前記第２の特徴量に基づき、前記画像データの明るさを補正することを特徴とする請求項１乃至４のいずれか１項に記載の画像処理装置。
【請求項６】
画像データから特徴量を取得し、当該取得された特徴量と、第１の重みが対応づけられている第１の特徴量と第２の重みが対応づけられている第２の特徴量とを比較し、該比較結果に基づいて前記画像データの区分を判定する判定手段と、
前記判定手段によって判定された区分と前記第１の重みとに基づき、前記画像データの明るさを補正する補正手段と、
を有することを特徴とする画像処理装置。
【請求項７】
前記特徴量は明度成分と色差成分であり、前記判定手段は、少なくとも明度成分と色差成分とを含む特徴量空間において、前記画像データの区分を判定することを特徴とする請求項６に記載の画像処理装置。
【請求項８】
前記補正手段は、さらに、前記第１の特徴量と前記第２の特徴量とに基づき、前記画像データの明るさを補正することを特徴とする請求項６又は７に記載の画像処理装置。
【請求項９】
画像データから特徴量を取得し、該取得された画像特徴量と、第１の重みが対応づけられている第１の特徴量と第２の重みが対応づけられている第２の特徴量とを比較し、該比較結果に基づいて前記画像データのシーンを判定する判定ステップと、
前記判定ステップによって判定されたシーンと前記第１の重みとに基づき、前記画像データの明るさを補正する補正ステップと、
を有することを特徴とする画像処理方法。
【請求項１０】
画像データから特徴量を取得し、当該取得された特徴量と、第１の重みが対応づけられている第１の特徴量と第２の重みが対応づけられている第２の特徴量とを比較し、該比較結果に基づいて前記画像データの区分を判定する判定ステップと、
前記判定ステップによって判定された区分と前記第１の重みとに基づき、前記画像データの明るさを補正する補正ステップと、
を有することを特徴とする画像処理方法。
【請求項１１】
コンピュータを請求項１乃至８のいずれか１項に記載の画像処理装置として機能させるためのプログラム。
【手続補正書】
【提出日】平成26年9月25日(2014.9.25)
【手続補正１】
【補正対象書類名】特許請求の範囲
【補正対象項目名】全文
【補正方法】変更
【補正の内容】
【特許請求の範囲】
【請求項１】
遊技媒体が始動領域を通過したことに基づいて可変表示を実行し表示結果を導出表示する可変表示手段に特定表示結果が導出表示されたときに、遊技状態を遊技者にとって有利な有利状態に制御する遊技機であって、
前記有利状態には少なくとも、第１有利状態と当該第１有利状態より不利な第２有利状態とがあり、
前記遊技媒体が始動領域を通過したときに、前記第１有利状態となるか前記第２有利状態となるかを特定するための情報を保留記憶情報として記憶する保留記憶手段と、
前記保留記憶手段に前記第１有利状態または前記第２有利状態となる前記保留記憶情報がある場合、当該保留記憶情報に基づく可変表示より以前に終了する可変表示において予告演出を実行する予告演出実行手段と、を備え、
前記予告演出実行手段は、複数種類の演出態様の前記予告演出を実行可能であり、前記第１有利状態となる前記保留記憶情報がある場合のみ、複数種類の演出態様のうち特定の演出態様の前記予告演出を実行可能であり、
前記可変表示手段は、第１可変表示手段と第２可変表示手段とを含み、
前記第１可変表示手段に前記特定表示結果が導出表示されたときと、前記第２可変表示手段に前記特定表示結果が導出表示されたときと、で前記第１有利状態となるか前記第２有利状態となるかの割合が異なる
ことを特徴とする遊技機。
【手続補正２】
【補正対象書類名】明細書
【補正対象項目名】０００９
【補正方法】変更
【補正の内容】
【０００９】
（１）上記目的を達成するため、本発明の遊技機は、遊技媒体が始動領域（例えば普通入賞球装置６Ａが形成する第１始動入賞口や普通可変入賞球装置６Ｂが形成する第２始動入賞口など）を通過したことに基づいて可変表示を実行し表示結果を導出表示する可変表示手段（例えば画像表示装置５）に特定表示結果（例えば大当り組合せの最終停止図柄）が導出表示されたときに、遊技状態を遊技者にとって有利な有利状態（例えば大当り遊技状態）に制御する遊技機（例えばパチンコ遊技機１など）であって、前記有利状態には少なくとも、第１有利状態（例えば第１大当り、第２大当りの大当り遊技状態）と当該第１有利状態より不利な第２有利状態（例えば第４大当りの大当り遊技状態）とがあり、前記遊技媒体が始動領域を通過したときに、前記第１有利状態となるか前記第２有利状態となるかを特定するための情報を保留記憶情報として記憶する保留記憶手段（例えば第１特図保留記憶部１５１Ａや第２特図保留記憶部１５１Ｂなど）と、前記保留記憶手段に前記第１
有利状態または前記第２有利状態となる前記保留記憶情報がある場合、当該保留記憶情報に基づく可変表示より以前に終了する可変表示において予告演出を実行する予告演出実行手段（例えば演出制御用ＣＰＵ１２０が予告演出パターン種別判定用データ２１１、予告演出パターン判定用データ２１２を使用してステップＳ５９４のバトル予告演出設定処理を実行する部分や、ステップＳ１６２の処理を実行する部分）と、を備え、前記予告演出実行手段は、複数種類の演出態様の前記予告演出を実行可能であり、前記第１有利状態となる前記保留記憶情報がある場合のみ、複数種類の演出態様のうち特定の演出態様の前記予告演出を実行可能であり、前記可変表示手段は、第１可変表示手段と第２可変表示手段とを含み、前記第１可変表示手段に前記特定表示結果が導出表示されたときと、前記第２可変表示手段に前記特定表示結果が導出表示されたときと、で前記第１有利状態となるか前記第２有利状態となるかの割合が異なる。これにより、予告演出に対する遊技者の興味が向上する。